(57)【要約】【課題】ピン付きゴルフボールマーカーとコイン状ゴルフボールマーカーの２種類のゴルフボールマーカーを保持し、必要に応じて容易に両者を使い分けることができるようにすることが可能なゴルフボールマーカー保持具に関し、ウェア等への取り付け状態をより確実なものとする等の改良がなされたものを提供する。【解決手段】本体１の開口部２から少なくとも１つのピン付きゴルフボールマーカー３と１つのコイン状ゴルフボールマーカー４を挿入して保持させることができるようにしたゴルフボールマーカー保持具であって、本体１の後面側に、本体１と別体の基板１０に磁力により吸着する吸着具９を設けており、基板１０と吸着具９が、互いの接合面に形成された凹凸により係合するようにしている。【選択図】図６
0003160583.tif 000002
【実用新案登録請求の範囲】
【請求項１】
本体（１）の開口部（２）から少なくとも１つのピン付きゴルフボールマーカー（３）と１つのコイン状ゴルフボールマーカー（４）を挿入して保持させることができるようにしたゴルフボールマーカー保持具であって、前面側にピン通し部（５）を設け、ピン付きゴルフボールマーカー（３）を、ピン通し部（５）からピン（３ａ）が前方に突出した状態で保持するとともに、その後方にコイン状ゴルフボールマーカー（４）を保持することができるようにし、
さらに、本体（１）の後面側に、本体（１）と別体の基板（１０）に磁力により吸着する吸着具（９）を設けているとともに、本体（１）の後面側と基板（１０）の前面側が、互いの接合面に形成された凹凸により係合するようにしていることを特徴とするゴルフボールマーカー保持具。
【請求項２】
本体（１）内に押さえ部材（６）を設け、押さえ部材（６）を介して前面側と後面側にそれぞれゴルフボールマーカー（３）（４）が配され、かつ、押さえ部材（６）と前面側、後面側の各壁（７）（８）によって各ゴルフボールマーカー（３）（４）が挟圧されるようにしており、
押さえ部材（６）は、ピン付きゴルフボールマーカー（３）に接する前脚部（６ａ）とコイン状ゴルフボールマーカー（４）に接する後脚部（６ｂ）を有し、さらに、前後方向に揺動可能としている請求項１記載のゴルフボールマーカー保持具。
【請求項３】
本体（１）の側部に、ティー（１７）を挿入させて保持するティー保持部（１８）を設けた請求項１又は２記載のゴルフボールマーカー保持具。
【請求項４】
本体（１）に、紐状連結具（１９）を設けた請求項１、２又は３記載のゴルフボールマーカー保持具。
【請求項５】
台紙（２０）の周縁部の裏側に接する折曲げ部（２１ａ）（２１ｂ）により台紙（２０）に取り付けられる透明カバー部（２１）が、二つ折りにしたときに、一方の端部（２２）が他方の端部の折曲げ部（２１ｂ）に保持されるようにしているとともに、前記二つ折りにしたときに折り目（２３）を境に分割されるいずれかの領域において請求項１、２、３又は４記載のゴルフボールマーカー保持具を収容する収容部（２４）を有していることを特徴とする包装容器。
【考案の詳細な説明】
【技術分野】
【０００１】
この考案は、ゴルフボールの位置を示すために使用されるゴルフボールマーカーの保持具に関するものである。
【背景技術】
【０００２】
本出願人の出願にかかる特許文献１には、本体１の開口部２から少なくとも１つ  のピン付きゴルフボールマーカー３と１つの板状のゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにし、さらに、本体１の後面側に、磁力により基板１０に付着させるための吸着具９を設けたものが記載されている（請求項４、５）。
【０００３】
このゴルフボールマーカー保持具は、ピン付きゴルフボールマーカーとコイン状ゴルフボールマーカーの２種類のゴルフボールマーカーを保持し、必要に応じて容易に両者を使い分けることができるようにすることが可能であり、また、吸着具９と基板１０により、各種のウェアの適宜箇所に取り付けて、便利に使用することが可能である。
【０００４】
しかし、単に吸着具９と基板１０との吸着作用だけでは、ウェアがナイロン等の滑りやすい生地である場合、生地を挟んだ吸着具９と基板１０が上下、左右にずれたり回転したりすることが予測され、いくら強い吸着力があっても衣服の生地を隔てて別々のものが相寄っており、予想もしない衝撃で分離することもなきにしもあらず、また、雨具を着用するときに、吸着具９に下向きの力が作用したりして、吸着具９と基板１０が分離し、ゴルフボールマーカー保持具がウェアから脱落する可能性があるため、より確実に吸着具９と基板１０が係合するようにしたものが望まれていた。
【先行技術文献】
【特許文献】
【０００５】
【特許文献１】実用新案登録第３１３１９０６号公報
【考案の概要】
【考案が解決しようとする課題】
【０００６】
そこで、この考案は、ピン付きゴルフボールマーカーとコイン状ゴルフボールマーカーの２種類のゴルフボールマーカーを保持し、必要に応じて容易に両者を使い分けることができるようにすることが可能なゴルフボールマーカー保持具に関し、ウェア等への取り付け状態をより確実なものとする等の改良がなされたものを提供することを課題とする。
【課題を解決するための手段】
【０００７】
この考案のゴルフボールマーカー保持具は、本体１の開口部２から少なくとも１つのピン付きゴルフボールマーカー３と１つのコイン状ゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにし、さらに、本体１の後面側に、本体１と別体の基板１０に磁力により吸着する吸着具９を設けているとともに、本体１の後面側と基板１０の前面側が、互いの接合面に形成された凹凸により係合するようにしている。
【０００８】
本体１内に押さえ部材６を設け、押さえ部材６を介して前面側と後面側にそれぞれゴルフボールマーカー３４が配され、かつ、押さえ部材６と前面側、後面側の各壁７８によって各ゴルフボールマーカー３４が挟圧されるようにしており、押さえ部材６は、ピン付きゴルフボールマーカー３に接する前脚部６ａとコイン状ゴルフボールマーカー４に接する後脚部６ｂを有し、さらに、前後方向に揺動可能としたものとすることができる。
【０００９】
本体１の側部に、ティー１７を挿入させて保持するティー保持部１８を設けたものとすることができる。本体１に、紐状連結具１９を設けたものとすることもできる。
【００１０】
また、このゴルフボールマーカー保持具の包装容器は、台紙２０の周縁部の裏側に接する折曲げ部２１ａ，２１ｂにより台紙２０に取り付けられる透明カバー部２１が、二つ折りにしたときに、一方の端部２２が他方の端部の折曲げ部２１ｂに保持されるようにしているとともに、前記二つ折りにしたときに折り目２３を境に分割されるいずれかの領域において前記ゴルフボールマーカー保持具を収容する収容部２４を有するものとすることができる。
【考案の効果】
【００１１】
この考案のゴルフボールマーカー保持具は、上述のような構成を有しており、ピン付きゴルフボールマーカーとコイン状ゴルフボールマーカーの２種類のゴルフボールマーカーを保持し、必要に応じて両者を容易に使い分けることができるようになっており、さらに、吸着具９が基板１０に吸着するとともに、本体１と基板１０が互いの接合面に形成された凹凸により係合するため、ウェア等への取り付け状態をより確実なものとすることができる。
【００１２】
押さえ部材６を、ピン付きゴルフボールマーカー３に接する前脚部６ａとコイン状ゴルフボールマーカー４に接する後脚部６ｂを有し、さらに、前後方向に揺動可能なものとすることにより、各ゴルフボールマーカー３，４が押さえ部材６と前面側、後面側の各壁７，８によって挟圧され、いずれかのゴルフボールマーカーを取り出すときは、ゴルフボールマーカーを引き上げるにつれて押さえ部材６の傾きが変化し、徐々に押圧力が減少して容易に取り出すことができるようになる。
【００１３】
さらに、ティー保持部１８や紐状連結具１９を設けることにより、便利に使用することができる。
【００１４】
また、台紙２０の周縁部の裏側に接する折曲げ部２１ａ，２１ｂにより台紙２０に取り付けられる透明カバー部２１を二つ折りにしたときに、一方の端部２２が他方の端部の折曲げ部２１ｂに保持されるようにしており、前記二つ折りにしたときに折り目２３を境に分割されるいずれかの領域において前記ゴルフボールマーカー保持具を収容する収容部２４を有する包装容器は、購入者が開封後、二つ折りにしてコンパクトな携行用の容器として利用できる。
【図面の簡単な説明】
【００１５】
【図１】ゴルフボールマーカー保持具と２種類のゴルフボールマーカー、及びティーの斜視図である。
【図２】ゴルフボールマーカー保持具の内部の構成と基板を示す説明図である。
【図３】ゴルフボールマーカー保持具の背面図である。
【図４】基板の説明図である。
【図５】ゴルフボールマーカー保持具の取り付け状態の斜視図である。
【図６】ゴルフボールマーカー保持具の本体と基板との接合状態の断面図である。
【図７】ゴルフボールマーカー保持具の包装容器の斜視図（表側）である。
【図８】ゴルフボールマーカー保持具の包装容器の斜視図（裏側）である。
【図９】ゴルフボールマーカー保持具の包装容器を二つ折りにする様子を示す斜視図である。
【図１０】ゴルフボールマーカー保持具の包装容器を二つ折りした場合を示す説明図である。
【考案を実施するための形態】
【００１６】
以下、この考案の好適な実施形態を、図面を参照して説明する。
【００１７】
このゴルフボールマーカー保持具は、本体１の開口部２から少なくとも１つのピン付きゴルフボールマーカー３と１つのコイン状ゴルフボールマーカー４を挿入して保持させることができるようにしたゴルフボールマーカー保持具であって、前面側にピン通し部５を設け、ピン付きゴルフボールマーカー３を、ピン通し部５からピン３ａが前方に突出した状態で保持するとともに、その後方にコイン状ゴルフボールマーカー４を保持することができるようにし、さらに、本体１の後面側に、本体１と別体の基板１０に磁力により吸着する吸着具９を設けているとともに、本体１の後面側と基板１０の前面側が、互いの接合面に形成された凹凸により係合するようにしている。
【００１８】
ピン付きゴルフボールマーカー３は、プラスチック製の円板状部分とその裏面の中心から垂直に延びたピン３ａからなっている。
【００１９】
コイン状ゴルフボールマーカー４は、表面に適宜の装飾が施された鉄や真鍮、アルミ製等のコイン状ないしメダル状で、ピンのないものとしている。ピン付きゴルフボールマーカー３とコイン状ゴルフボールマーカー４は、いずれも一般的に普及しているものでよく、形状や素材は前述ものに限定されない。
【００２０】
このゴルフボールマーカー保持具の本体１は、前面側の壁７、後面側の壁８、及びこれらの間に形成された壁１１からなり、上部に開口部２を有する小容器状で、内部において前面側の壁７と後面側の壁８との間に、少なくとも２つのゴルフボールマーカーを収容できる間隔を有している。前面側の壁７及び後面側の壁８は、ゴルフボールマーカーの半径よりやや大きい半径の略半円形部分を有し、さらに、ゴルフボールマーカーの出し入れがしやすくするために漏斗状に上部を広げた形状とすることができる。
【００２１】
本体１は、プラスチック、金属、皮革等適宜の素材で製造することができる。この実施形態では、前面側の壁７を構成する部材と後面側の壁８を構成する部材の２つの部材を組み合わせて本体１を形成したものとしており、図２では前面側の壁７を構成する部材を取り外した状態を示した。本体１は、全体を一体成形したものとしてもよい。
【００２２】
前面側の壁７には、中央上端から中心部に至る切り込みが形成されており、これをピン通し部５としている。ピン通し部５は、上方に逆八字状に広がった形状であり、スムーズにゴルフボールマーカーのピン３ａを下方に案内できるようになっている。また、本体１に収納されたピン付きゴルフマーカー３は、そのピン３ａを指で摘んで上方に引き上げることにより、容易に取り出すことができる。
【００２３】
後面側の壁８には、外側（後面側）の面に、磁力により適宜のものに付着させるための吸着具９として磁石が接着されている。このゴルフボールマーカー保持具は、前記吸着具９の磁力により、後述の基板１０を利用して適宜のものに付着させることができる。また、上端部には、後方に突出する突起１２が設けられている。
【００２４】
本体１内の底部には、前面側と後面側とで段差が設けられている。段差は、図２に表れているように、後面側に底上げ部１３を形成することにより生じたものとすることができる。底上げ部１３はコイン状ゴルフボールマーカー４の下端縁を支持できる形状であればよい。この段差により、コイン状ゴルフボールマーカー４を開口部２から一部露出した状態で保持することができる。
【００２５】
本体１内には、押さえ部材６が設けられている。押さえ部材６は、ピン付きゴルフボールマーカー３に接する前脚部６ａとコイン状ゴルフボールマーカー４に接する後脚部６ｂを有し、さらに、上部の軸６ｃの両端部を本体１の両側の壁１１の内面に形成した軸穴１４に軸支させることにより、前後方向に揺動可能としている。押さえ部材６は、弾性を有するプラスチック等で形成することができる。また、正確な動きと持久力を高めるため、バネを併用することができる。
【００２６】
本体１の内部は、この押さえ部材６を介して前面側と後面側にそれぞれゴルフボールマーカー３，４が配され、かつ、各ゴルフボールマーカー３，４が押さえ部材６と前面側、後面側の各壁７，８によって挟圧されるようになっている。これにより、使用者が姿勢を傾けた場合等において、各ゴルフボールマーカー３，４が不意に本体１から離脱することを防止し、安定した保持状態を保つことができる。
【００２７】
また、２種類のゴルフボールマーカー３，４のうち、先にいずれか一方のゴルフボールマーカーのみを挿入して保持させると、押さえ部材６が傾いて、前脚部６ａ（又は後脚部６ｂ）が前面側の壁７（又は後面側の壁８）に接近した状態になり、他方のゴルフボールマーカーを挿入するときに適度な押圧力が感じられ、挿入後は、前脚部６ａと後脚部６ｂによって両ゴルフボールマーカー３，４がともにしっかりと保持された状態が維持されるようになっている。また、ゴルフボールマーカー３，４をともに挿入した状態からいずれか一方のゴルフボールマーカーのみを取り出すときは、ゴルフボールマーカーを引き上げるにつれて押さえ部材６の傾きが変化し、徐々に押圧力が減少して容易に取り出すことができるようになっている。また、同時に前脚部６ａと後脚部６ｂの間隔が開いて残された片方のゴルフボールマーカーの隙間を補って安定保持する仕組みとなっている。
【００２８】
図４は、ゴルフボールマーカー保持具の吸着具９が吸着するようにした基板１０の説明図である。この基板１０は、適宜の材質からなる板の片面に、上方に抜ける凹部１５を形成し、前記吸着具９に吸着する磁石１６を取り付けたものとしている。前記凹部１５は、吸着具９を取り付ける四角形の部分１５ａと、その上の上方に向かって拡幅した形状の部分１５ｂからなる。
【００２９】
磁石１６は、基板１０の前記面から１ｍｍ程度前方に突出しており、またその上端部の前記凹部１５の上方に向かって拡幅した形状の部分１５ｂに臨む箇所が露出している。前記上方に向かって拡幅した形状の部分１５ｂの下端部は、前記本体１の後方に突出する突起１２が進入できるように幅が調整されている。
【００３０】
図５は、ウェアの生地Ａの裏側に前記基板１０を貼り付け（図示せず）、生地Ａの表側にゴルフボールマーカー保持具を取り付けた状態を示す斜視図であり、図６は本体１と基板１０が接合した状態を示す断面図（生地Ａは省略）である。  このような構成とすることにより、本体１と基板１０は、互いの接合面に形成された凹凸（突起１２、吸着具９と凹部１５）が係合して滑りにくくなっている。なお、基板１０と吸着具９は、互いの接合面を不織布等で覆ったものとし、より滑りにくくすることができる。
【００３１】
ゴルフボールマーカー保持具の本体１には、１つのピン付きゴルフボールマーカー３と１つのコイン状ゴルフボールマーカー４とを挿入して保持させている。  各ゴルフボールマーカー３，４は、本体１内において、それぞれの円板状の部分を本体１の前後の面と平行にして立てた状態、すなわち、ピン付きゴルフボールマーカーのピン３ａをピン通し部５から突出させ、その円板状部分の後方にコイン状ゴルフボールマーカー４の一面が平行になるように配される。
【００３２】
このゴルフボールマーカー保持具は、２種類のゴルフボールマーカー３，４を保持することができるので、極めて便利に使用することができる。また、基板１０はウェアの外から見えない内側に隠れさせることができるため、スッキリとした外観となる。
【００３３】
さらに、このゴルフボールマーカー保持具は、本体１に、ティー１７を挿入させて保持するティー保持部１８を設けたものとしており、ゴルフボールマーカーに加えて、ティー１７の選択も可能な、より便利なものとなっている。
【００３４】
ティー保持部１８は、本体１の左右両側に形成された上下方向の溝１８ａと、この溝を前後間にわたって覆うように取り付けられた布、ゴム等で形成された覆い１８ｂからなる筒状の部分として構成されており、ティー１７の太さや長さを問わず利用できるようにしている。ティー保持部１８は、一般的なティー１７の長さより短く、上端の内径は、ティー１７の上端部付近の径より少し小さくし、挿入されたティー１７の上端部付近がティー保持部１８の上方に突出した状態が保持されるようにしている。
【００３５】
また、このゴルフボールマーカー保持具は、本体１に、先端をウェアに取り付け可能な汎用性のある紐状連結具１９を設けたものとしている。紐状連結具１９は、先端に安全ピン（図示せず）等を取り付け、ウェアに取り付けられるようになっており、万が一、前述の基板１０と吸着具９の接合がはずれた場合でも、ウェアから脱落することを防止できるようになっている。
【００３６】
このゴルフボールマーカー保持具は、図７、図８に示したような包装容器に収容して販売することができる。この包装容器は、台紙２０の周縁部の裏側に接する折曲げ部２１ａ，２１ｂにより台紙２０に取り付けられる透明カバー部２１が、二つ折りにしたときに、一方の端部２２が他方の端部の折曲げ部２１ｂに保持されるようにしているとともに、前記二つ折りにしたときに折り目２３を境に分割されるいずれかの領域において前記ゴルフボールマーカー保持具を収容する収容部２４を有している。
【００３７】
台紙２０は、略長方形の板紙であり、説明書兼用として各面に模様やイラスト、商品説明等を記載したものとすることができる。透明カバー部２１は、プラスチック製であり、折曲げ部２１ａ，２１ｂが台紙２０の左右の各長辺と、下側の短辺に対応して形成され、台紙２０の表面全体を覆う構成となっている。収容部２４は、透明カバー部２１の下半分に前方に突出する態様で形成されている。
【００３８】
包装容器の上部には、台紙２０と透明カバー部２１を貫通する吊り下げ金具用孔２５が設けられており、図７に示した状態において、前記収容部２４にゴルフボールマーカー保持具を収容して販売される。
【００３９】
台紙２０の左右の各長辺に対応する折曲げ部２１ａは、長手方向を二等分する位置に凹み２６が形成されており、この凹み２６にかかるように、折り目２３をつけて透明カバー部２１を二つ折りにできるようになっている。
【００４０】
従来の包装容器は、商品の購入者が商品を取り出した後、通常は捨てられ、容器として利用されることはないが、この包装容器は、二つ折りにすることにより、コンパクトなゴルフボールマーカー保持具用の容器として有効に利用することが可能である。
【００４１】
すなわち、包装容器に収容されたゴルフボールマーカー保持具を購入した者は、不使用時、図９に示したように台紙２０を切断して半分弱程度の大きさにして凹み２６にかかないようにし、ゴルフボールマーカー保持具やゴルフボールマーカー、ティー等を、包装容器の収容部２４に入れ、二つ折りにして一方の端部２２（上側の短辺）を他方の端部（下側の短辺）の折曲げ部２１ｂと台紙２０との間に保持させることにより図１０に示したようにコンパクトにして、バッグ等に収納し携行することができる。
【００４２】
以上がこの考案の好適な実施形態であるが、この考案は上述の実施形態の構成に限定されるものではなく、形状、寸法、材質等を適宜変更して実施することができる。
【符号の説明】
【００４３】
１  本体
２  開口部
３  ピン付きゴルフボールマーカー
４  コイン状ゴルフボールマーカー
５  ピン通し部
６  押さえ部材
６ａ  前脚部
６ｂ  後脚部
７  前面側の壁
８  後面側の壁
９  吸着具
１０  基板
２０  台紙
２１  透明カバー部
２１ａ，２１ｂ  折曲げ部
２２  一方の端部
２３  折り目
２４  収容部
【図１】
0003160583.tif 000003
【図２】
0003160583.tif 000004
【図３】
0003160583.tif 000005
【図４】
0003160583.tif 000006
【図５】
0003160583.tif 000007
【図６】
0003160583.tif 000008
【図７】
0003160583.tif 000009
【図８】
0003160583.tif 000010
【図９】
0003160583.tif 000011
【図１０】
0003160583.tif 000012
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
本体（１）の開口部（２）から少なくとも１つのピン付きゴルフボールマーカー（３）と１つのコイン状ゴルフボールマーカー（４）を挿入して保持させることができるようにしたゴルフボールマーカー保持具であって、前面側にピン通し部（５）を設け、ピン付きゴルフボールマーカー（３）を、ピン通し部（５）からピン（３ａ）が前方に突出した状態で保持するとともに、その後方にコイン状ゴルフボールマーカー（４）を保持することができるようにし、
さらに、本体（１）の後面側に、本体（１）と別体の基板（１０）に磁力により吸着する吸着具（９）を設けているとともに、本体（１）の後面側と基板（１０）の前面側が、互いの接合面に形成された凹凸により係合するようにしていることを特徴とするゴルフボールマーカー保持具。
【請求項２】
本体（１）内に押さえ部材（６）を設け、押さえ部材（６）を介して前面側と後面側にそれぞれゴルフボールマーカー（３）（４）が配され、かつ、押さえ部材（６）と前面側、後面側の各壁（７）（８）によって各ゴルフボールマーカー（３）（４）が挟圧されるようにしており、
押さえ部材（６）は、ピン付きゴルフボールマーカー（３）に接する前脚部（６ａ）とコイン状ゴルフボールマーカー（４）に接する後脚部（６ｂ）を有し、さらに、前後方向に揺動可能としている請求項１記載のゴルフボールマーカー保持具。
【請求項３】
本体（１）の側部に、ティー（１７）を挿入させて保持するティー保持部（１８）を設けた請求項１又は２記載のゴルフボールマーカー保持具。
【請求項４】
本体（１）に、紐状連結具（１９）を設けた請求項１、２又は３記載のゴルフボールマーカー保持具。
【手続補正２】
【補正対象書類名】明細書
【補正対象項目名】００１０
【補正方法】削除
【補正の内容】
【手続補正３】
【補正対象書類名】明細書
【補正対象項目名】００１４
【補正方法】削除
【補正の内容】